(57)【要約】      （修正有）【課題】前発明の安全コーナーカッターの可動部（別名  ヒンジ部）と不動部（別名  把持部）を分離し、同刃先等の安全カバーとしての可動部と把持部各々の形状を別途改良し、その組合せにより色々な安全カッターが作成出来るように応用範囲を拡張する。【解決手段】前発明の安全コーナーカッターの可動部（別名  ヒンジ部）と不動部（別名  把持部）の一部を含めた部位を刃先等の安全カバー部位とし、残る不動部を把持部として分離、保護すべき同刃先、その他の切削刃、金属製針状体の形状などにより、安全カバー部位および把持部各々を個別に平面構造から立体構造へ発展させた。安全カバー部と把持部各々の色彩、質感などデザイン的な観点および日用品としての握り部の実用的機械強度の強化という観点で改良を試みた。【選択図】図３
0003104502.tif 000002
【実用新案登録請求の範囲】
【請求項１】
ばね復元特性機能ヒンジを有する刃先等の安全カバー。
【請求項２】
ばね復元特性機能を有する安全カバ―の基材が、低密度ポリエチレン、高密度ポリエチレン、ポリプロピレン、ポリアセタール、ポリウレタン、熱可塑性エラストマー樹脂等の熱可塑性樹脂または形状記憶合金である請求項１記載の刃先等のー安全カバー。
【請求項３】
ばね復元特性機能ヒンジを有する刃先等の安全カバ―と把持部が異なる基材より構成される安全カッター。
【請求項４】
把持部の基材がABS樹脂、ポリプロピレン、ポリウレタン、ナイロン等のプラスチック、紙、金属、ガラスである請求項３記載の安全カッター。
【考案の詳細な説明】
【技術分野】
【０００１】
本考案は、家庭用または工業用カッターの刃先等の安全カバー
および同安全カバ―を利用した安全カッターに関する。
【背景技術】
【０００２】
当出願人は、発明の名称が「ばね復元特性機能ヒンジおよびコーナーカッタ」という発明を特許出願(出願番号  特願２００２-２０６５３２，出願日  平成１４年７月１６日)した(以下、前発明という）。
【０００３】
その要旨は、刃部を常に覆い隠すガイド板と一体となった、ばね復元特性を持つヒンジ機構が被切断物のコーナー切断時、ヒンジ機構の特性によりガイド板が被切断物のコーナーのガイド保持役を併せ持つ安全コーナーカッターの作成にある。  
本考案は、その発明の応用範囲を拡張することにある。
【特許文献１】特願２００２-２０６５３２明細書
【考案の開示】
【考案が解決しようとする課題】
【０００４】
本考案は、同発明の安全コーナーカッターの可動部（別名  ヒンジ部）と不動部（別名  把持部）の一部を含めた部位（図４Ａにおいて図示した切断線
で切断された同図Ｍ部位）を刃先等の安全カバーと命名し、残る不動部（図４ＡにおいてＮ部位）を把持部として分離し、同刃先等の安全カバーと把持部各々の形状を別途改良し、その組合せにより色々な安全カッターが作成出来るように応用範囲を拡張することにある。
【０００５】
前発明のコーナーカッタ（図４Ａ参照）は可動部（別名  ヒンジ部）および把持部を一体成型した部材で構成されていた。
前項で指摘したように、安全カバー部と把持部とに分離することにより、
それぞれの部位を個別に平面構造から立体構造へ発展させることが出来る。
本考案においては、当該コーナーカッタの色彩、質感などデザイン的な観点
および日用品としての握り部の実用的機械強度の強化という観点で改良を試みた。
【課題を解決するための手段】
【０００６】
前発明のコーナーカッタの可動部の持つばね復元特性機能付ヒンジ機構を保持しつつ、当該コーナーカッタの色彩、質感などデザイン的な改良と握り部の実用的機械強度の強化という目的のために可動部（本考案の安全カバー部）と把持部を切り離して、それぞれの特性に合致した素材の部品を製作して、それらを組み合わせることで目的を達することが出来た。  
【０００７】
安全カバー部は、前発明同様に、その素材にばね復元特性機能を有する熱可塑性樹脂の低密度ポリエチレン、高密度ポリエチレン、ポリプロピレン、ポリアセタール、ポリウレタン、熱可塑性エラストマー等の樹脂、そのほかに形状記憶合金などを使用する。
把持部は、プラスチック（例えば、ABS樹脂、ポリプロピレン、ポリウレタン、ナイロン）、紙、金属、ガラスを素材として利用する。
【考案の効果】
【０００８】
考案の安全カバーはカッターナイフの刃先、その他の切削刃、金属製針状体
等の人体に危険な物の簡易カバーとして利用できるし、考案の安全カッターは
その用途に応じて、安全カバー部および把持部のそれぞれの色彩、質感、強度
を変え、また、それぞれの色彩、質感、強度の異なる物を組み合わせることにより、多種多様な安全カッターナイフを作製することが出来る。
【実施例】
【０００９】
紙パック安全コーナーカッターを例に、本考案の実施の形態を図面により説明する。  
ポリエチレン樹脂の射出成形により作られた安全カバー部1a（図１A）、染料または顔料により着色されたＡＢＳ樹脂の射出成形により作られた握り部2a(図１B)、刃１２(図１C)の組合せによりコーナーカッタの片面3a（図１F）を作成する。
【００１０】
前記安全カバー部1aと面対象の関係にある安全カバー部1b(図２Ａ)と同様な関係の把持部2b(図２B)の組合せによりコーナーカッタの他の片面3b(図２F)を作成する。
片面3a（図１F）の各組立ピン９と  片3b面(図２F)の相対する組立ピン穴２４を嵌合させてコーナーカッタ３(図３A)を作成する。
【００１１】
安全カバー部３２に併設されている切欠きの形状（点線円内）は図３Bに示されているV字形のみならず同図C〜Gに図示されているその他の形状でもよい。
【００１２】
安全カバー部の形状は、保護される刃型により直方体（図４Ｃ参照）、球体（
図４Ｄ参照）等を取り得る。
把持部も円筒形（図４Ｅ参照）、多角柱（図４Ｆ参照）その他の形状を取り得る。
【産業上の利用可能性】
【００１３】
カッターナイフの刃先、その他の切削刃、金属製針状体等の人体に危険な物の簡易カバーの提供および多種多様な安全カッターナイフの提供。
【図面の簡単な説明】
【００１４】
【図１】紙パック安全コーナーカッター部品構造図ａ      図１Ａ  安全カバー部Ｍの平面図      図１Ｂ  把持部Ｎの平面図      図１Ｃ  カッター刃の平面図      図１Ｄ  安全カバー部Ｍの正面図      図１Ｅ  把持部Ｎの正面図      図１Ｆ  安全カバー部Ｍとカッター刃、把持部Ｎの結合３ａ平面図      図１Ｇ  安全カバー部Ｍとカッター刃、把持部Ｎの結合３ａ正面図
【図２】紙パック安全コーナーカッター部品構造図ｂ      図２Ａ  安全カバー部Ｍの平面図      図２Ｂ  把持部Ｎの平面図      図２Ｃ  図示なし      図２Ｄ  安全カバー部Ｍの正面図      図２Ｅ  把持部Ｎの正面図      図２Ｆ  安全カバー部Ｍとカッター刃、把持部Ｎの結合３ｂ平面図      図２Ｇ  安全カバー部Ｍとカッター刃、把持部Ｎの結合３ｂ正面図
【図３】紙パック安全コーナーカッター説明図      図３Ａ  紙パック安全コーナーカッター平面図      図３Ｂ  紙パック安全コーナーカッター正面図      図３Ｃ  安全カバー部３２に併設されている切欠き（ヒンジ部）の形状（図３Ｂ点線円内）の１例示      図３Ｄ  同上      図３Ｅ  同上      図３Ｆ  同上      図３Ｇ  同上
【図４】前発明のカッターの説明図      図４Ａ  前発明のカッター平面図      図４Ｂ  前発明のカッター正面図      図４Ｃ  本考案の安全カバー部Ｍの１例示      図４Ｄ  同上      図４Ｅ  把持部Ｎの１例示正面図および断面図      図４Ｆ  同上
【符号の説明】
【００１５】
1a        安全カバー部               21       貫通穴
1b        安全カバー部               22        切欠（ヒンジ部）
2a       把持部                      23        磁石設置穴
2b      把持部                       24       組立貫通穴
3a      コーナーカッタ片面           25       組立ピン止穴
3b      コーナーカッタ片面           26      切刃止ピン穴
5       貫通穴                       27      貫通穴
6       組立ピン                     31       把持部
7       嵌込溝                       32       安全カバー部
8       切刃止ピン                   33        磁石
9       組立ピン                     34      貫通穴
10      磁石留                       41       円筒形把持部
10a     磁石設置穴                   42       同上断面
11      貫通穴                       43       六角柱把持部
12      切刃                         44       同上断面
13      切欠（ヒンジ部）
【図１】
0003104502.tif 000003
【図２】
0003104502.tif 000004
【図３】
0003104502.tif 000005
【図４】
0003104502.tif 000006
【手続補正書】
【提出日】平成16年5月13日(2004.5.13)
【手続補正１】
【補正対象書類名】実用新案登録請求の範囲
【補正対象項目名】全文
【補正方法】変更
【補正の内容】
【実用新案登録請求の範囲】
【請求項１】
ばね復元特性機能ヒンジを有する刃先の安全カバ―（１ａおよび１ｂ）と把持部（２ａおよび２ｂ）が異なる基材より構成される安全カッター（３）。  
【請求項２】
ばね復元特性機能を有する安全カバ―（１ａおよび１ｂ）の基材が、低密度ポリエチレン、高密度ポリエチレン、ポリプロピレン、ポリアセタール、ポリウレタン、熱可塑性エラストマー樹脂等の熱可塑性樹脂または形状記憶合金である請求項１記載の安全カッター（３）。
【請求項３】
把持部（２ａおよび２ｂ）の基材がABS樹脂、ポリプロピレン、ポリウレタン、ナイロン等のプラスチック、紙、金属、ガラスである請求項１記載の安全カッター（３）。 
【手続補正２】
【補正対象書類名】明細書
【補正対象項目名】全文
【補正方法】変更
【補正の内容】
【考案の詳細な説明】
【技術分野】
【０００１】  本考案は、家庭用または工業用カッターの刃先等の安全カバーおよび同安全カバ―を利用した安全カッターに関する。
【背景技術】
【０００２】  当出願人は、発明の名称が「ばね復元特性機能ヒンジおよびコーナーカッタ」という発明を特許出願(出願番号  特願２００２-２０６５３２，出願日  平成１４年７月１６日)した(以下、前発明という）。【０００３】      その要旨は、刃部を常に覆い隠すガイド板と一体となった、ばね復元特性を持つヒンジ機構が被切断物のコーナー切断時、ヒンジ機構の特性によりガイド板が被切断物のコーナーのガイド保持役を併せ持つ安全コーナーカッターの作成にある。    本考案は、その発明の応用範囲を拡張することにある。【特許文献１】特願２００２-２０６５３２明細書
【考案の開示】
【考案が解決しようとする課題】
【０００４】  本考案は、同発明の安全コーナーカッターの可動部（別名  ヒンジ部）と不動部（別名  把持部）の一部を含めた部位（図４Ａにおいて図示した切断線で切断された同図Ｍ部位）を刃先等の安全カバーと命名し、残る不動部（図４ＡにおいてＮ部位）を把持部として分離し、同刃先等の安全カバーと把持部各々の形状を別途改良し、その組合せにより色々な安全カッターが作成出来るように応用範囲を拡張することにある。【０００５】  前発明のコーナーカッタ（図４Ａ参照）は可動部（別名  ヒンジ部）および把持部を一体成型した部材で構成されていた。    前項で指摘したように、安全カバー部と把持部とに分離することにより、それぞれの部位を個別に平面構造から立体構造へ発展させることが出来る。  本考案においては、当該コーナーカッタの色彩、質感などデザイン的な観点および日用品としての握り部の実用的機械強度の強化という観点で改良を試みた。 
【課題を解決するための手段】
【０００６】    前発明のコーナーカッタの可動部の持つばね復元特性機能付ヒンジ機構を保持しつつ、当該コーナーカッタの色彩、質感などデザイン的な改良と握り部の実用的機械強度の強化という目的のために可動部（本考案の安全カバー部）と把持部を切り離して、それぞれの特性に合致した素材の部品を製作して、それらを組み合わせることで目的を達することが出来た。  【０００７】  安全カバー部は、前発明同様に、その素材にばね復元特性機能を有する熱可塑性樹脂の低密度ポリエチレン、高密度ポリエチレン、ポリプロピレン、ポリアセタール、ポリウレタン、熱可塑性エラストマー等の樹脂、そのほかに形状記憶合金などを使用する。  把持部は、プラスチック（例えば、ABS樹脂、ポリプロピレン、ポリウレタン、ナイロン）、紙、金属、ガラスを素材として利用する。 
【考案の効果】
【０００８】  考案の安全カバーはカッターナイフの刃先、その他の切削刃、金属製針状体等の人体に危険な物の簡易カバーとして利用できるし、考案の安全カッターはその用途に応じて、安全カバー部および把持部のそれぞれの色彩、質感、強度を変え、また、それぞれの色彩、質感、強度の異なる物を組み合わせることにより、多種多様な安全カッターナイフを作製することが出来る。
【実施例】
【０００９】  紙パック安全コーナーカッターを例に、本考案の実施の形態を図面により説明する。    ポリエチレン樹脂の射出成形により作られた安全カバー部1a（図１A）、染料または顔料により着色されたＡＢＳ樹脂の射出成形により作られた握り部2a(図１B)、刃１２(図１C)の組合せによりコーナーカッタの片面3a（図１F）を作成する。【００１０】  前記安全カバー部1aと面対象の関係にある安全カバー部1b(図２Ａ)と同様な関係の把持部2b(図２B)の組合せによりコーナーカッタの他の片面3b(図２F)を作成する。  片面3a（図１F）の各組立ピン９と  片3b面(図２F)の相対する組立ピン穴２４を嵌合させてコーナーカッタ３(図３A)を作成する。【００１１】  安全カバー部３２に併設されている切欠きの形状（点線円内）は図３Bに示されているV字形のみならず同図C〜Gに図示されているその他の形状でもよい。【００１２】  カッターナイフの刃先、その他の切削刃、金属製針状体等の人体に危険な物の簡易カバーの提供および多種多様な安全カッターナイフの提供。
【図面の簡単な説明】
【００１３】
【図１】紙パック安全コーナーカッター部品構造図ａ、  図１Ａ  安全カバー部Ｍの平面図、  図１Ｂ  把持部Ｎの平面図、  図１Ｃ  カッター刃の平面図、  図１Ｄ  安全カバー部Ｍの正面図、  図１Ｅ  把持部Ｎの正面図、  図１Ｆ  安全カバー部Ｍとカッター刃、把持部Ｎの結合３ａ平面図、  図１Ｇ  安全カバー部Ｍとカッター刃、把持部Ｎの結合３ａ正面図。
【図２】紙パック安全コーナーカッター部品構造図ｂ、  図２Ａ  安全カバー部Ｍの平面図、  図２Ｂ  把持部Ｎの平面図、  図２Ｃ  図示なし、  図２Ｄ  安全カバー部Ｍの正面図、  図２Ｅ  把持部Ｎの正面図、  図２Ｆ  安全カバー部Ｍとカッター刃、把持部Ｎの結合３ｂ平面図、  図２Ｇ  安全カバー部Ｍとカッター刃、把持部Ｎの結合３ｂ正面図。
【図３】紙パック安全コーナーカッター説明図、  図３Ａ  紙パック安全コーナーカッター平面図、  図３Ｂ  紙パック安全コーナーカッター正面図、  図３Ｃ  安全カバー部３２に併設されている切欠き（ヒンジ部）の形状（図３Ｂ点線円内）の１例示、    図３Ｄ  同上、    図３Ｅ  同上、    図３Ｆ  同上、    図３Ｇ  同上。
【図４】前発明のカッターの説明図、  図４Ａ  前発明のカッター平面図、  図４Ｂ  前発明のカッター正面図。
【００１４】1a        安全カバー部               21       貫通穴1b        安全カバー部               22        切欠（ヒンジ部）2a       把持部                      23        磁石設置穴2b      把持部                       24       組立貫通穴3a      コーナーカッタ片面           25       組立ピン止穴3b      コーナーカッタ片面           26      切刃止ピン穴5       貫通穴                       27      貫通穴6       組立ピン                     31       把持部7       嵌込溝                       32       安全カバー部8       切刃止ピン                   33        磁石9       組立ピン                     34      貫通穴10      磁石留                      10a     磁石設置穴                  11      貫通穴                      12      切刃                        13      切欠（ヒンジ部） 
【手続補正３】
【補正対象書類名】図面
【補正対象項目名】図４
【補正方法】変更
【補正の内容】
【図４】
0003104502.tif 000007